(57)【要約】      （修正有）【課題】  構造的な簡易性、袋体への着脱の容易性、確実な封止性、製造上の容易性、低価格の実現を可能とした袋体用クリップを提供する。【解決手段】  それぞれ平行に配置した第１、第２及び第３の棒状体１１，１２，１３からなる袋体の開口辺部を閉止するためのクリップ。若干の隙間１４を介して平行に配置された第２及び第３の棒状体１２，１３に対して第１の棒状体１１が隙間１４に臨むように配置されている。棒状体１１，１２，１３の一端部１５はそれぞれ固着されており、第２及び第３の棒状体１２，１３の他端部１６は第１の棒状体１１を挟んで第１の棒状体１１と交差している。【選択図】  図１
2007050923.tif 000002
【特許請求の範囲】
【請求項１】
それぞれ平行に配置した第１、第２及び第３の棒状体からなり、
若干の隙間を介してほぼ平行に配置された第２及び第３の棒状体に対して第１の棒状体が前記隙間に臨むように配置され、
第１、第２及び第３の棒状体の一端部はそれぞれ固着されており、
第２及び第３の棒状体の他端部は第１の棒状体を挟んで第１の棒状体と交差していること、
を特徴とする袋体用クリップ。
【請求項２】
前記第１、第２及び第３の棒状体はそれぞれプラスチック材料から一体的に成形されていることを特徴とする請求項１に記載の袋体用クリップ。
【請求項３】
前記第１の棒状体と前記第２及び第３の棒状体は前記一端部でヒンジ部にて連結されていることを特徴とする請求項２に記載の袋体用クリップ。
【請求項４】
前記第１、第２及び第３の棒状体はそれぞれプラスチック材料からなり、第２及び第３の棒状体は前記一端部で連結して一体的に成形されており、これとは別に成形された第１の棒状体が第２及び第３の棒状体と互いの一端部で接合されていることを特徴とする請求項１に記載の袋体用クリップ。
【請求項５】
前記第２及び第３の棒状体の他端部は互いに連結されていることを特徴とする請求項１ないし請求項４のいずれかに記載の袋体用クリップ。
【請求項６】
前記第２及び第３の棒状体に把持部を設けたことを特徴とする請求項１ないし請求項５のいずれかに記載の袋体用クリップ。
【請求項７】
前記第１、第２及び第３の棒状体の一端部に固定用ブラケットを設けたことを特徴とする請求項１ないし請求項５のいずれかに記載の袋体用クリップ。
【請求項８】
前記第２及び第３の棒状体は平坦面を備え、該平坦面にて壁面に固着可能であることを特徴とする請求項１又は請求項５に記載の袋体用クリップ。
【請求項９】
前記平坦面に接着剤が塗布されていることを特徴とする請求項８に記載の袋体用クリップ。
【請求項１０】
前記平坦面にマグネットが取り付けられていることを特徴とする請求項８に記載の袋体用クリップ。
【発明の詳細な説明】
【技術分野】
【０００１】
本発明は、袋体用クリップ、特に、プラスチックフィルム製袋体の開口部を挟んで閉止しておくことのできるクリップに関する。
【背景技術】
【０００２】
従来から、プラスチックフィルム製袋体の開口部を着脱自在に閉止するためのクリップは種々提供されており、金属製のばね部材などを備えていて部品点数が多く、また、組立て工数が多いものがほとんどであった。一方、特許文献１〜４に記載されているようにプラスチック製の簡易なクリップも種々提案されている。しかし、この種のプラスチック製クリップは、閉じたり開けたりする可動部を備えていたり、二つに分かれている部材で袋の開口部を挟み込んだりする形態を備え、袋への着脱が煩雑であった。
【０００３】
【特許文献１】特開平１−１２４５６０号公報
【特許文献２】特開平８−４８３４５号公報
【特許文献３】特開平１０−２４５０４５号公報
【特許文献４】特開２００３−７２７７８号公報
【発明の開示】
【発明が解決しようとする課題】
【０００４】
そこで、本発明の目的は、構造的な簡易性、袋体への着脱の容易性、確実な封止性、製造上の容易性、低価格性の実現を可能としたプラスチックフィルム製の袋体用クリップを提供することにある。
【課題を解決するための手段】
【０００５】
以上の目的を達成するため、本発明に係る袋体用クリップは、それぞれ平行に配置した第１、第２及び第３の棒状体からなり、若干の隙間を介してほぼ平行に配置された第２及び第３の棒状体に対して第１の棒状体が前記隙間に臨むように配置され、第１、第２及び第３の棒状体の一端部はそれぞれ固着されており、第２及び第３の棒状体の他端部は第１の棒状体を挟んで第１の棒状体と交差していること、を特徴とする。
【０００６】
本発明に係る袋体用クリップにおいては、３本の棒状体の組合せという簡単な構造からなり、容易かつ安価に製造できる。そして、袋体の開口辺部分を各棒状体の他端部から、第１の棒状体を巻き込むように、かつ、第２及び第３の棒状体の隙間を通して挿入することにより、第１、第２及び第３の棒状体で袋体の開口辺部分を挟み込んで閉止することができる。
【０００７】
袋体は棒状体の他端部から片手で容易に挿入することができ、袋体の開口辺部分が第１の棒状体に巻き付いて第１の棒状体との摩擦抵抗で閉止されることから封止性が良好である。
【０００８】
本発明に係る袋体用クリップにおいては、第１、第２及び第３の棒状体はそれぞれプラスチック材料からなり、一体的に成形されていてもよく、あるいは、第２及び第３の棒状体は一端部で連結して一体的に成形されており、これとは別に成形された第１の棒状体が第２及び第３の棒状体と互いの一端部で接合されていてもよい。さらに、第１の棒状体と第２及び第３の棒状体は一端部でヒンジ部にて連結されていてもよい。
【０００９】
第２及び第３の棒状体の他端部は互いに連結されていてもよい。さらに、第２及び第３の棒状体に手で握るあるいは指を通すための把持部を設けてもよい。
【００１０】
また、第１、第２及び第３の棒状体の一端部に固定用ブラケットを設けてもよい。このブラケットによって袋体を壁面などに吊り下げることができる。
【００１１】
あるいは、第２及び第３の棒状体は平坦面を備え、該平坦面にて壁面に固着可能であってもよい。そのために、平坦面に接着剤が塗布されていてもよく、平坦面にマグネットが取り付けられていてもよい。
【発明を実施するための最良の形態】
【００１２】
以下、本発明に係る袋体用クリップの実施例について、添付図面を参照して説明する。
【００１３】
（第１実施例、図１及び図２参照）
第１実施例であるクリップ１０Ａは、図１に示すように、それぞれ平行に配置した第１、第２及び第３の棒状体１１，１２，１３からなる。第２及び第３の棒状体１２，１３は若干の隙間１４を介して平行に配置されている。第１の棒状体１１は第２及び第３の棒状体１２，１３に対して隙間１４に臨むように、かつ、図１（Ｄ）に示すように断面が三角形状となるように配置されている。
【００１４】
第１、第２及び第３の棒状体１１，１２，１３は一端部１５において連結された状態でプラスチック材料にて一体的に成形され、適度な可撓性を有している。第２及び第３の棒状体１２，１３の他端部１６は第１の棒状体１１の他端部１７を挟んで第１の棒状体１１と交差して環状に連結されている。
【００１５】
このクリップ１０Ａによって封止されるプラスチックフィルム製袋の一例を図３に示す。この袋５は従来周知の溶断袋であり、上辺部が開口部６とされている。この袋５の開口部６を矢印Ａ方向（図１（Ｂ）参照）に第１の棒状体１１の他端部１７と第２及び第３の棒状体１２，１３の環状他端部１６との交差部分にスライドさせつつ挿入する。このとき、袋５は第１の棒状体１１と第２及び第３の棒状体１２，１３にガイドされて一端部１５に向かってスライドし、図２（Ａ）に示すように、袋５の開口部６は第１の棒状体１１を巻き込み、かつ、第２及び第３の棒状体１２，１３の隙間１４に挟まれた状態になる。逆の手順によってクリップ１０Ａを袋５から取り外すことができる。
【００１６】
クリップ１０Ａを袋５に取り付けた状態は図２（Ｂ）に示すとおりである。このとき、第１の棒状体１１を巻き込んでいる開口部６は第２及び第３の棒状体１２，１３で挟み込まれ、袋５と第１の棒状体１１との摩擦抵抗で開口部６は完全に閉止されることになる。なお、袋５は何枚かを束ねてクリップ１０Ａに挿入してもよい。あるいは、図１２に示すように、何枚かを並べてクリップ１０Ａに挿入してもよい。
【００１７】
以上説明したクリップ１０Ａにあっては、３本の棒状体１１，１２，１３の組合せという簡単な構造からなり、プラスチック成形によって容易かつ安価に製造できる。そして、袋５の開口部６を他端部１６，１７から容易に挿入することができ、第１の棒状体１１に巻き付いた開口部６を第２及び第３の棒状体１２，１３で挟み込んで良好に封止することができる。
【００１８】
（変形例１、図４参照）
図４に前記クリップ１０Ａの第１の棒状体１１の変形例１を示す。この第１の棒状体１１は両側に突出部２１，２１を形成することにより、突出部２１，２１で第２及び第３の棒状体１２，１３を挟み込み、第２及び第３の棒状体１２，１３が互いに離間することを規制し、袋５のずれを防止するようにしたものである。
【００１９】
この変形例１において、図４には図示されていないが、第２及び第３の棒状体１２，１３はプラスチック材料にて一体的に成形され、これとは別に成形された第１の棒状体１１と一端部１５で接合（例えば、超音波溶着）されている。第１の棒状体１１の一端部１５に設けたピン１５ａ，１５ａは、接合時（超音波溶着時）に第２及び第３の棒状体１２，１３に設けた小穴（図６及び図７に示す小穴１５ｂ，１５ｂ参照）と嵌合させるためのものである。
【００２０】
（変形例２、図５参照）
図５に示す変形例２は、図４に示した突出部２１，２１を矢じり型とし、挟み込んだ袋５の開口部が戻らないようにしたものである。
【００２１】
（変形例３、図６参照）
図６に前記クリップ１０Ａの第２及び第３の棒状体１２，１３の変形例３を示す。この第２及び第３の棒状体１２，１３は環状他端部１６を湾曲（図６（Ｂ）参照）させたものである。この環状他端部１６に指を掛けることにより、前記袋５の挿入方向Ａとは逆方向にクリップ１０Ａを移動させることにより、袋５の開口部６を容易に閉止することができる。
【００２２】
また、第２及び第３の棒状体１２，１３の一端部１５に設けた小穴１５ｂ，１５ｂは、図４及び図５に示したピン１５ａ，１５ａと嵌合させるためのものである。以下の図７に示す小穴１５ｂ，１５ｂも同様である。
【００２３】
（変形例４、図７及び図８参照）
図７に示す変形例４は、第２及び第３の棒状体１２，１３にそれぞれを連結する連結部２２を設け、第２及び第３の棒状体１２，１３が互いに離間することを規制するようにしたものである。
【００２４】
図８に変形例４の第２及び第３の棒状体１２，１３と第１の棒状体１１を組み合わせたクリップ１０Ａに対するそれぞれの位置Ａ１〜Ａ４での袋５と第１、第２及び第３の棒状体１１，１２，１３との係合状態を示す。
【００２５】
（第２実施例、図９参照）
第２実施例であるクリップ１０Ｂは、図９（Ａ）に示すように、第２及び第３の棒状体１２，１３に連結部２５，２６を設け、この連結部２５，２６に手で握るための把持部２７を設けたものである。他の構成は前記第１実施例と基本的に同様であり、第１の棒状体１１と第２及び第３の棒状体１２，１３はそれぞれの一端部１５で超音波溶着などで接合されている。なお、図９（Ｂ）は第１の棒状体１１を示し、図９（Ｃ），（Ｄ），（Ｅ）は第２及び第３の棒状体１２，１３を示す。
【００２６】
（第３実施例、図１０参照）
第３実施例であるクリップ１０Ｃは、図１０に示すように、第２及び第３の棒状体１２，１３の他端部に指を掛けることのできる大きさの環状部２８を設けたものである。また、第１の棒状体１１の上面に形成した突起１８は、閉止した袋５のずれを防止するためのものである。なお、他の構成は前記第１実施例と基本的に同様である。また、環状部２８は手で持つことのできる大型形状であってもよい。
【００２７】
（第４実施例、図１１及び図１２参照）
第４実施例であるクリップ１０Ｄは、図１１に示すように、第１、第２及び第３の棒状体１１，１２，１３の一端部１５に固定用のブラケット３０を設けたもので、該ブラケット３０は補強用リブ３１にて補強されている。
【００２８】
このクリップ１０Ｄにあっては、壁面３４に対して孔３０ａからビスをねじ込むことにより固定することができる。そして、図１２に示すように、複数の袋５を掛けることが可能である。
【００２９】
（第５実施例、図１３及び図１４参照）
第５実施例であるクリップ１０Ｅは、図１３に示すように、第１の棒状体１１を金属棒にて形成するとともに、第２及び第３の棒状体１２，１３を金属板からプレス加工にて形成し、一端部１５で溶接したものである。なお、プラスチック材料から成形することも可能である。
【００３０】
第２及び第３の棒状体１２，１３の底部は平坦面１２ａ，１３ａとされ、一端部１５及び他端部１６にて連結されている。第１の棒状体１１は第２及び第３の棒状体１２，１３の垂直部で囲われ（図１４（Ｃ）参照）、隙間１４に臨み、かつ、他端部１７が該垂直部から突出している。
【００３１】
このクリップ１０Ｅにあっては、壁面３４に対して平坦面１２ａ，１３ａの孔３２からビスをねじ込むことにより固定することができる（図１４（Ｂ）参照）。この場合、袋は矢印Ａで示す上方から第１の棒状体１１と第２及び第３の棒状体１２，１３の間に挿入し、隙間１４から引き出されることになる。
【００３２】
（第６実施例、図１５参照）
第６実施例であるクリップ１０Ｆは、図１５に示す断面形状を有し、全体の構成は前記第５実施例（クリップ１０Ｅ）と基本的に同じ形状の第１、第２及び第３の棒状体１１，１２，１３からなり、袋を通すための隙間１４を有している。さらに、第２及び第３の棒状体１２，１３にマグネット４０が取り付けられている。このクリップ１０Ｆは、マグネット４０によって例えば冷蔵庫の扉や壁面に磁気的に固定することができる。クリップ１０Ｆを壁面などに固定した場合は、図１４（Ｂ）に示したのと同じ状態になる。
【００３３】
（第７実施例、図１６参照）
第７実施例であるクリップ１０Ｇは、図１６に示す断面形状を有し、全体の構成は前記第５実施例（クリップ１０Ｅ）と基本的に同じ形状の第１、第２及び第３の棒状体１１，１２，１３からなり、袋を通すための隙間１４を有している。さらに、このクリップ１０Ｇは、第２及び第３の棒状体１２，１３の連結板部４１に接着剤４２が塗布されている。このクリップ１０Ｇは、連結板部４１に塗布された接着剤４２によって壁面などに固着することができる。クリップ１０Ｇを壁面などに固着した場合は、図１４（Ｂ）に示したのと同じ状態になる。
【００３４】
（第８実施例、図１７参照）
第８実施例であるクリップ１０Ｈは、図１７に示すように、第１の棒状体１１と第２及び第３の棒状体１２，１３を、一端部１５，１５で薄膜のヒンジ部３５にて連結させてプラスチック材料を用いて一体的に成形したものである。一端部１５，１５にはそれぞれ鈎状ピン３６と受け穴３７が形成されており、第１の棒状体１１をヒンジ部３５を支点として矢印Ｂ方向に回動させて折り畳むことにより、第１の棒状体１１が第２及び第３の棒状体１２，１３に重なり合うとともに、鈎状ピン３６が受け穴３７に嵌合する。
【００３５】
このクリップ１０Ｈの他の構成及び使用方法は前記第１実施例と基本的に同様である。また、第１の棒状体１１に突条１１ａが形成されているため、袋に対するクリップ力が強くなる。
【００３６】
（第９実施例、図１８参照）
第９実施例であるクリップ１０Ｉは、図１８に示すように、１本の金属製ワイヤにて形成したものである。１本のワイヤを、図１８（Ｂ）に示す矢印の順序で折り曲げていくことにより、第１の棒状体１１、第３の棒状体１３、環状他端部１６及び第２の棒状体１２を連続して形成することができる。
【００３７】
（棒状体の種々の断面形状、図１９参照）
図１９に、本発明に係る袋体用クリップの第１、第２及び第３の棒状体１１，１２，１３における種々の断面形状を示す。特に、図１９（Ｄ）に示すように第１の棒状体１１は２本であってもよい。
【００３８】
（他の実施例）
なお、本発明に係る袋体用クリップは前記実施例に限定するものではなく、その要旨の範囲内で種々に変更できることは勿論である。
【図面の簡単な説明】
【００３９】
【図１】本発明の第１実施例であるクリップを示し、（Ａ）は平面図、（Ｂ）は正面図、（Ｃ）は底面図、（Ｄ）は（Ｂ）のＸ−Ｘ断面図、（Ｅ）は（Ｂ）のＹ−Ｙ断面図である。
【図２】前記第１実施例であるクリップの使用状態を示し、（Ａ）は袋をスライドさせている状態の説明図、（Ｂ）は袋を閉止した状態の説明図である。
【図３】本発明のクリップが使用可能な袋の一例を示す正面図である。
【図４】前記クリップを構成する第１の棒状体の変形例１を示し、（Ａ）は平面図、（Ｂ）は正面図、（Ｃ）は底面図、（Ｄ）は左側面図、（Ｅ）は（Ｂ）のＸ−Ｘ断面図である。
【図５】前記クリップを構成する第１の棒状体の変形例２を示し、（Ａ）は平面図、（Ｂ）は正面図、（Ｃ）は底面図、（Ｄ）は左側面図、（Ｅ）は（Ｂ）のＸ−Ｘ断面図である。
【図６】前記クリップを構成する第２及び第３の棒状体の変形例３を示し、（Ａ）は平面図、（Ｂ）は正面図、（Ｃ）は左側面図、（Ｄ）は右側面図である。
【図７】前記クリップを構成する第２及び第３の棒状体の変形例４を示し、（Ａ）は平面図、（Ｂ）は正面図、（Ｃ）は右側面図、（Ｄ）は左側面図、（Ｅ）は（Ｂ）のＸ−Ｘ断面図である。
【図８】前記変形例４の第２及び第３の棒状体を備えたクリップに袋を取り付ける状態を示す説明図である。
【図９】本発明の第２実施例であるクリップを示し、（Ａ）は正面図、（Ｂ）は第１の棒状体の正面図、（Ｃ）は第２及び第３の棒状体の平面図、（Ｄ）はその正面図、（Ｅ）はその右側面図である。
【図１０】本発明の第３実施例であるクリップを示し、（Ａ）は平面図、（Ｂ）は正面図、（Ｃ）は底面図、（Ｄ）は（Ａ）のＹ−Ｙ断面図、（Ｅ）は（Ａ）のＸ−Ｘ断面図である。
【図１１】本発明の第４実施例であるクリップを示し、（Ａ）は壁面に取り付けた状態を示す正面図、（Ｂ）は右側面図である。
【図１２】前記第４実施例であるクリップの使用状態を示す正面図である。
【図１３】本発明の第５実施例であるクリップを示す斜視図である。
【図１４】前記第５実施例であるクリップを示し、（Ａ）は平面図、（Ｂ）は壁面に取り付けた状態の側面図、（Ｃ）は（Ａ）のＸ−Ｘ断面図である。
【図１５】本発明の第６実施例であるクリップを示す断面図である。
【図１６】本発明の第７実施例であるクリップを示す断面図である。
【図１７】本発明の第８実施例であるクリップの展開状態を示し、（Ａ）は平面図、（Ｂ）は正面図、（Ｃ）は（Ａ）のＸ−Ｘ断面図、（Ｄ）は（Ａ）のＹ−Ｙ断面図である。
【図１８】本発明の第９実施例であるクリップを示し、（Ａ）は斜視図、（Ｂ）は製作手順を示す説明図である。
【図１９】本発明を構成する棒状体の種々の形状を示す断面図である。
【符号の説明】
【００４０】
１０Ａ〜１０Ｉ…クリップ
１１…第１の棒状体
１２…第２の棒状体
１３…第３の棒状体
１４…隙間
１５…一端部
１６…他端部
２７…把持部
２８…環状部
３０…ブラケット
４０…マグネット
４２…接着剤
【図１】
2007050923.tif 000003
【図２】
2007050923.tif 000004
【図３】
2007050923.tif 000005
【図４】
2007050923.tif 000006
【図５】
2007050923.tif 000007
【図６】
2007050923.tif 000008
【図７】
2007050923.tif 000009
【図８】
2007050923.tif 000010
【図９】
2007050923.tif 000011
【図１０】
2007050923.tif 000012
【図１１】
2007050923.tif 000013
【図１２】
2007050923.tif 000014
【図１３】
2007050923.tif 000015
【図１４】
2007050923.tif 000016
【図１５】
2007050923.tif 000017
【図１６】
2007050923.tif 000018
【図１７】
2007050923.tif 000019
【図１８】
2007050923.tif 000020
【図１９】
2007050923.tif 000021